(57)【要約】      （修正有）【課題】医療行為が速やかに行え、快適性、プライバシー及び保温性を有する在宅医療介護服の構造を提供する。【解決手段】在宅医療介護服の構造は、襟１１と、二つの肩部分１２と、二つの袖１３と、本体部１４とを含む。該介護服は襟より該本体部の中央縦方向に両方向ファスナー１５が設けられ、該袖はほぼ同じ長さの長尺状の開口１３１が延伸され、該長尺状の開口部分は複数の粘着ストッパー１３２によって迅速な開閉が可能であり、注射、点滴、または手当などの医療作業時に使用される。また該肩部分にはそれぞれ肩上ファスナー１６が設けられ、該肩上ファスナーは該肩部分より該本体部の胸方向へ延伸され、化学治療または透析チューブを通す時に使用される。また該本体部は該両方向ファスナーの両側にウェスト開口部１７がそれぞれ設けられ、該ウェスト開口部は面ファスナー１７２による一時的な閉鎖を奏することで、尿管または人口肛門を通す時に使用される。【選択図】図１
0003226495.tif 000002
【実用新案登録請求の範囲】
【請求項１】
襟と、二つの肩部分と、二つの袖と、本体部とを含む在宅医療介護服の構造であって、
前記介護服は襟より前記本体部の中央縦方向に双方向ファスナーが設けられ、前記両方向ファスナーによって前記介護服の脱着機能を奏し、また前記袖はほぼ同じ長さの長尺状の開口が延伸され、前記長尺状の開口部分は複数の粘着ストッパーによって迅速な開閉が可能であり、前記長尺状の開口の開きによって注射、点滴、または手当などの医療作業時に使用され、また前記肩部分には肩上ファスナーがそれぞれ設けられ、前記肩上ファスナーは前記肩部分より前記本体部の胸方向へ延伸され、前記肩上ファスナーの開きによって化学治療または透析のチューブを通す時に使用され、前記本体部は前記両方向ファスナーの両側にそれぞれウェスト開口部が設けられ、また前記ウェスト開口部は使用者正面のウェストに位置し、前記ウェスト開口部はマジックテープ（登録商標）によって一時的な閉鎖を奏し、前記ウェスト開口部の開きによって尿管または人口肛門を通す時に使用されることで、医療介護での使用に適することを特徴とする在宅医療介護服の構造。
【請求項２】
前記袖の末端に手袋がそれぞれ接続され、前記手袋の正面に第一空間が形成され、また前記手袋の背面に第二空間が形成され、前記第一空間は第二空間より大きく、また前記第一空間と前記第二空間は互いに重なり、前記第二空間内に湾曲状の硬い板が設けられ、前記手袋によって手のひらを包んで収容し、前記硬い板に合わせて前記手のひらの可動範囲が制限されることを特徴とする請求項１の在宅医療介護服の構造。
【請求項３】
前記手袋の第一空間と前記袖はファスナーによって取り外し可能に連結となり、また前記手袋の第一空間は前記袖から離れた位置に開口ファスナーが設けられ、前記開口ファスナーによって指を露出させて使用できることを特徴とする請求項２の在宅医療介護服の構造。
【請求項４】
前記手袋の第二空間は前記袖方向に向かって収容口が形成され、前記収容口は粘着テープによって張り合わせて固定されることを特徴とする請求項２の在宅医療介護服の構造。
【請求項５】
前記袖は前記手袋に近い位置に複数のリングが設けられ、また前記リングに縛りテープが設けられ、前記縛りテープの縛り付けによって腕の位置が固定されることを特徴とする請求項２の在宅医療介護服の構造。
【請求項６】
前記襟にある前記両方向ファスナーと前記肩部分にある前記肩上ファスナーは両方当て布が設けられ、また前記当て布は前記両方向ファスナーと前記肩上ファスナーを覆うことを特徴とする請求項１の在宅医療介護服の構造。
【請求項７】
前記介護服は前記肩上ファスナーと前記ウェスト開口部の内側面に両方裏地が設けられ、前記裏地は遮断効果を奏することを特徴とする請求項１の在宅医療介護服の構造。
【請求項８】
前記肩上ファスナーの長さは１０ＣＭから１５ＣＭであることを特徴とする請求項１の在宅医療介護服の構造。
【請求項９】
前記本体部の裾部分は締め付け部が形成されることで、前記介護服の密着性と保温効果が高められることを特徴とする請求項１の在宅医療介護服の構造。
【請求項１０】
前記介護服の肩部分にミシン縫いの固定布が設けられることを特徴とする請求項１の在宅医療介護服の構造。
【考案の詳細な説明】
【技術分野】
【０００１】
本考案は医療用服に関し、特に医療行為が速やかに行え、快適性、プライバシー及び保温性を持つ在宅医療介護服の構造に関する。
【背景技術】
【０００２】
現在の医療機関における患者衣の多くは、薄くて、ぶかぶかで、開きやすくて、ボタンなしのデザインである。主に医療の利便性を考量した上ではあるが、保温性とプライバシーを兼ねることができず、点滴、経鼻胃管、呼吸器挿管などの医療または生命維持装置が取り付けられている患者は、保護効果が優れた介護服を使用する必要がある。一部の患者は故意に抜け出したり、寝ている時に無意識に手でチューブを引っ張ったり、抜いたりするためである。特に精神疾患がある患者はこのような状況が起きやすく、チューブなどを患者の体より取り外すことは、看護師の手間になるだけでなく、ひどい場合は、患者の命にかかわる時がある。従来のやり方はすべて両手をバンドでベッドの両側に縛り付けて、または板体を使って手のひらをその上に固定することであるが、患者の腕と手のひらの活動を制限するため、このやり方は患者の両手を圧迫して血液の循環を悪くするだけでなく、手のひらの活動が行えずに患者の不快感が増す。そのため、なんとかして医療行為が速やかに行え、快適性、プライバシー及び保温性を持つ効果を得ることが本考案が技術改良する目標である。
【０００３】
従って、本考案者は長年にわたって関係商品の製造開発と設計経験により、上述の目標について、詳しく設計と慎重に評価した結果、実用性を満ちた本考案を得た。
【考案の概要】
【考案が解決しようとする課題】
【０００４】
従来技術に存在する上述の欠点について解決し、在宅医療介護服の構造を提供する。
【課題を解決するための手段】
【０００５】
在宅医療介護服の構造は、襟と、二つの肩部分と、二つの袖と、本体部とを含む。該介護服は襟より該本体部の中央縦方向に両方向ファスナーが設けられ、該両方向ファスナーによって該介護服の脱着機能を奏する。該袖よりほぼ同じ長さの長尺状の開口が延伸され、該長尺状の開口部分は複数の粘着ストッパーによって迅速な開閉が可能である。該肩部分は肩上ファスナーがそれぞれ設けられ、該肩上ファスナーは該肩部分より該本体部の胸方向へ延伸される。該本体部は該両方向ファスナーの両側にそれぞれウェスト開口部が設けられ、また該ウェスト開口部は使用者正面のウェストに位置し、該ウェスト開口部はマジックテープ（登録商標）によって一時的に閉鎖される。
【０００６】
該袖の末端に手袋がそれぞれ接続され、該手袋の正面に第一空間が形成され、また該手袋の背面に第二空間が形成される。該第一空間は第二空間より大きく、また該第一空間と該第二空間は互いに重なる。該第二空間内に湾曲状の硬い板が設けられ、該手袋によって手のひらを包んで収容し、該硬い板に合わせて該手のひらの可動範囲が制限される。
【０００７】
該手袋の第一空間と該袖はファスナーによって取り外しできるように連結され、また該手袋の第一空間は該袖から離れた位置に開口ファスナーが設けられ、該開口ファスナーによって指を露出させて使用できる。
【０００８】
該手袋の第二空間は該袖方向へ向かって収容口が形成され、該収容口は粘着テープによって張り合わせて固定される。
【０００９】
該袖は該手袋に近い位置に複数のリングが設けられ、また該リングに縛りテープが設けられ、該縛りテープの縛り付けによって腕の位置が固定される。
【００１０】
該襟にある該両方向ファスナーと該肩部分にある該肩上ファスナーは両方当て布が設けられ、また該当て布は該両方向ファスナーと該肩上ファスナーを覆う。
【００１１】
該介護服は該肩上ファスナーと該ウェスト開口部の内側面に両方裏地が設けられ、該裏地は遮断効果を奏する。
【００１２】
該肩上ファスナーの長さは１０ＣＭから１５ＣＭまでの間にある。
【００１３】
該本体部の裾部分は締め付け部が形成されることで、該介護服の密着性と保温効果が高められる。
【００１４】
該介護服の肩部分にミシン縫いの固定布が設けられる。
【００１５】
本考案の第一主な目的は、該袖はほぼ同じ長さの該長尺状の開口が延伸され、また該長尺状の開口部は複数の粘着ストッパーによって閉合と速やかに開けられる。該長尺状の開口の開きによって注射、点滴、または手当などの医療作業時に使用される。また該肩部分にはそれぞれ肩上ファスナーが設けられ、該肩上ファスナーは該肩部分より該本体部の胸方向へ延伸され、該肩上ファスナーの開きによって化学治療または透析チューブを通す時に使用される。該本体部は該両方向ファスナーの両側に該ウェスト開口部がそれぞれ設けられ、該ウェスト開口部が使用者の正面のウェストに位置し、該ウェスト開口部はマジックストッパーによって一時的な閉鎖を奏する。該ウェスト開口部の開きによって尿管または人口肛門を通す時に使用されることで、医療行為を速やかに行え、快適性、プライバシー及び保温性を持つ効果を兼ねた上、医療介護での使用に適する。
【００１６】
本考案の第二主な目的は、該手袋は手のひらを収容する第一空間と該硬い板を収容できる第二空間が形成され、該第一空間は該第二空間より大きく、また該第一空間と該第二空間が互いに重なり、該手袋によって手のひらを包んで収容し、該硬い板に合わせて該手のひらの可動範囲が制限される。該硬い板は手のひらだけを制御し、手の甲は柔らかい素材によって覆うため、該手のひらを有効に制御する上で局部の活動空間を提供でき、保護効果と快適性を兼ねることで、医療介護での使用に適する。
【図面の簡単な説明】
【００１７】
【図１】図１は、本考案に係る介護服を示す図である。
【図２】図２は、本考案に係る介護服の使用状態を示す図である。
【図３】図３は、本考案に係る介護服の襟元の局部拡大図である。
【図４】図４は、本考案の袖部分の使用を示す図(一）である。
【図５】図５は、本考案の袖部分の使用を示す図(二）である。
【図６】図６は、本考案の手袋の位置を示す図である。
【図７】図７は、本考案の手袋の使用を示す図(一）である。
【図８】図８は、本考案の手袋の断面図(一）である。
【図９】図９は、本考案の手袋の使用を示す図(二）である。
【図１０】図１０は、本考案の手袋の断面図(二）である。
【考案を実施するための形態】
【００１８】
まず、図１から図５を参照されたい。在宅医療介護服の構造は、介護服１０と二つの手袋２０とを含む。介護服１０は襟１１と、二つの肩部分１２と、二つの袖１３と、本体部１４とを含む。該介護服１０は襟１１より該本体部１４の中央縦方向に両方向ファスナー１５が設けられ、該両方向ファスナー１５によって該介護服１０の脱着機能を奏する。また該両方向ファスナー１５は需要によって下より上へまたは上より下へ開けることで、医療スタッフが患者の胸または腹部を検査または治療しやすくなり、該介護服１０の局部を開けると検査、治療しやすい上、患者のプライバシーも守られる。該介護服１０は胸の位置にポケット１０１が設けられ、該ポケット１０１に患者の身の回り品または身分証明などが置ける。該本体部１４の裾部分は締め付け部１４１が形成されることで、該介護服１０の密着性と保温効果が高められる。該介護服１０の肩部分１２にミシン縫いの固定布１２１が設けられ、患者が酸素マスクまたは挿管される時、該ミシン縫いの固定布１２１によって上述の治療のチューブを固定することで、固定の効果が有効に高められる。また該袖１３はほぼ同じ長さの長尺状の開口１３１が延伸され、該長尺状の開口１３１部分は複数の粘着ストッパー１３２によって迅速な開閉が可能であり、該長尺状の開口１３１の開きによって注射、点滴、または手当などの医療作業時に使用される。また該肩部分１２にはそれぞれ肩上ファスナー１６が設けられ、該肩上ファスナー１６の長さは１０ＣＭから１５ＣＭまでの間にある。該肩上ファスナー１６は該肩部分１２より該本体部１４の胸方向へ延伸され、該肩上ファスナー１６の開きによって化学治療または透析チューブを通す時に使用される。該襟１１にある該両方向ファスナー１５と該肩部分１２にある該肩上ファスナー１６は両方当て布（１５１）（１６１）が設けられ、また該当て布（１５１）（１６１）は該両方向ファスナー１５と該肩上ファスナー１６を覆う。該本体部１４は該両方向ファスナー１５の両側に該ウェスト開口部１７がそれぞれ設けられ、該肩上ファスナー１６と該ウェスト開口部１７の内側面に両方裏地（１６２）（１７１）が設けられ、該裏地（１６２）（１７１）は遮断効果を奏する。その中、該ウェスト開口部１７が使用者の正面のウェストに位置し、該ウェスト開口部１７部はマジックストッパー１７２によって一時的な閉鎖を奏する。該ウェスト開口部１７の開きによって尿管または人口肛門を通す時に使用される。以上をまとめると、患者が該介護服１０を着用して検査される時またはチューブに繋がれる時、該両方向ファスナー１５、該長尺状の開口１３１、該肩上ファスナー１６と該ウェスト開口部１７によって直接に開けることで、医療行為を速やかに行え、快適性、プライバシー及び保温性を持つ効果を兼ねた上、医療介護での使用に適する。
【００１９】
引き続き図６から図１０、合わせて図２を参照されたい。該袖１３の末端にそれぞれ手袋２０が接続される。該手袋２０は正面に第一空間２１が形成され、該手袋２０の背面に第二空間２２が形成される。該第一空間２１は該第二空間２２より大きく、また該第一空間２１と該第二空間２２が互いに重なる。該第二空間２２の中に湾曲状の硬い板２３が設けられ、該手袋２０によって手のひらを包んで収容し、該硬い板２３に合わせて該手のひらの可動範囲が制限される。また該手袋２０の第一空間２１と該袖１３はファスナー２４によって取り外しできる連結になるため、該手袋２０が使用しない時は取り外せる。該手袋２０の第一空間２１は該袖１３より離れた位置に開口ファスナー２５が設けられ、指にセンサー機器をつける時は該開口ファスナー２５によって指を露出させて使用することで、該センサー機器は測定する時の利便性が向上される。該手袋２０の第二空間２２は該袖１３方向へ収容口２６が設けられ、該収容口２６は粘着テープ２７によって貼り合わせて固定される。該袖１３が該手袋２０の近い部分に複数のリング１３３が設けられ、また該リング１３３に縛りテープ１８を通し、該縛りテープ１８の縛り付けによって腕の位置を固定することで、患者の両手を固定する必要がある時は両手を有効に固定できる。上述の構造によると、患者が該介護服１０を着て、該両手を該袖１３に入れられ、該手袋２０の第一空間２１によって該手のひらを収容し、該硬い板２３が該手のひらに位置し、湾曲状の硬い板２３によって手のひらとの間の密着性を向上する上、医療スタッフが該介護服１０の両方向ファスナー１５を上げると、該介護服１０を着せられる。該手袋２０によって手のひらを包んで収容し、該硬い板２３に合わせて該手のひらの可動範囲が制限される。該硬い板２３は該手のひらの一面を制限するだけで、手の甲は柔らかい素材によって覆うため、さらにネット状で通気性を高められる。該手のひらを有効に制御する上で局部の活動空間を提供でき、保護効果と快適性を兼ねることで、医療介護での使用に適する。
【００２０】
以上は、本考案に係る実施例の一部に過ぎないため、本考案の実施範囲を制限するものではない。即ち、本考案の特許請求の範囲内で行われる変化、修飾なども本考案の範囲に属すべきである。
【符号の説明】
【００２１】
本考案：
１０              介護服
１０１            ポケット
１１              襟
１２              肩部分
１２１            ミシン縫い固定布
１３              袖
１３１            長尺状の開口
１３２            粘着ストッパー
１３３            リング
１４              本体部
１４１            締め付け部
１５              双方向ファスナー
（１５１）（１６１）    当て布
１６              肩上ファスナー
１７              ウェスト開口部
（１６２）（１７１）    裏地
１７２            マジックストッパー
１８              縛りテープ
２０              手袋
２１              第一空間
２２              第二空間
２３              硬い板
２４              ファスナー
２５              開口ファスナー
２６              収容口
２７              粘着テープ
【図１】
0003226495.tif 000003
【図２】
0003226495.tif 000004
【図３】
0003226495.tif 000005
【図４】
0003226495.tif 000006
【図５】
0003226495.tif 000007
【図６】
0003226495.tif 000008
【図７】
0003226495.tif 000009
【図８】
0003226495.tif 000010
【図９】
0003226495.tif 000011
【図１０】
0003226495.tif 000012
【手続補正書】
【提出日】令和2年3月11日(2020.3.11)
【手続補正１】
【補正対象書類名】実用新案登録請求の範囲
【補正対象項目名】全文
【補正方法】変更
【補正の内容】
【実用新案登録請求の範囲】
【請求項１】
襟と、二つの肩部分と、二つの袖と、本体部とを含む在宅医療介護服の構造であって、
前記介護服は襟より前記本体部の中央縦方向に両方向ファスナーが設けられ、前記両方向ファスナーによって前記介護服の脱着機能を奏し、また前記袖はほぼ同じ長さの長尺状の開口が延伸され、前記長尺状の開口部分は複数の粘着ストッパーによって迅速な開閉が可能であり、前記長尺状の開口の開きによって注射、点滴、または手当などの医療作業時に使用され、また前記肩部分には肩上ファスナーがそれぞれ設けられ、前記肩上ファスナーは前記肩部分より前記本体部の胸方向へ延伸され、前記肩上ファスナーの開きによって化学治療または透析のチューブを通す時に使用され、前記本体部は前記両方向ファスナーの両側にそれぞれウェスト開口部が設けられ、また前記ウェスト開口部は使用者正面のウェストに位置し、前記ウェスト開口部は面ファスナーによって一時的な閉鎖を奏し、前記ウェスト開口部の開きによって尿管または人口肛門を通す時に使用されることで、医療介護での使用に適することを特徴とする在宅医療介護服の構造。
【請求項２】
前記袖の末端に手袋がそれぞれ接続され、前記手袋の正面に第一空間が形成され、また前記手袋の背面に第二空間が形成され、前記第一空間は第二空間より大きく、また前記第一空間と前記第二空間は互いに重なり、前記第二空間内に湾曲状の硬い板が設けられ、前記手袋によって手のひらを包んで収容し、前記硬い板に合わせて前記手のひらの可動範囲が制限されることを特徴とする請求項１の在宅医療介護服の構造。
【請求項３】
前記手袋の第一空間と前記袖はファスナーによって取り外し可能に連結となり、また前記手袋の第一空間は前記袖から離れた位置に開口ファスナーが設けられ、前記開口ファスナーによって指を露出させて使用できることを特徴とする請求項２の在宅医療介護服の構造。
【請求項４】
前記手袋の第二空間は前記袖方向に向かって収容口が形成され、前記収容口は粘着テープによって張り合わせて固定されることを特徴とする請求項２の在宅医療介護服の構造。
【請求項５】
前記袖は前記手袋に近い位置に複数のリングが設けられ、また前記リングに縛りテープが設けられ、前記縛りテープの縛り付けによって腕の位置が固定されることを特徴とする請求項２の在宅医療介護服の構造。
【請求項６】
前記襟にある前記両方向ファスナーと前記肩部分にある前記肩上ファスナーは両方当て布が設けられ、また前記当て布は前記両方向ファスナーと前記肩上ファスナーを覆うことを特徴とする請求項１の在宅医療介護服の構造。
【請求項７】
前記介護服は前記肩上ファスナーと前記ウェスト開口部の内側面に両方裏地が設けられ、前記裏地は遮断効果を奏することを特徴とする請求項１の在宅医療介護服の構造。
【請求項８】
前記肩上ファスナーの長さは１０ＣＭから１５ＣＭであることを特徴とする請求項１の在宅医療介護服の構造。
【請求項９】
前記本体部の裾部分は締め付け部が形成されることで、前記介護服の密着性と保温効果が高められることを特徴とする請求項１の在宅医療介護服の構造。
【請求項１０】
前記介護服の肩部分にミシン縫いの固定布が設けられることを特徴とする請求項１の在宅医療介護服の構造。